(57)【特許請求の範囲】
【請求項１】
本体（１０）の前面下部の角部に固定される垂直部（１１０）と、前記垂直部（１１０）の両側から前方に突出して上部に上向きに開口した支持溝（１３０、１３０)が形成された１対の支持部（１２０、１２０)と、を備えたヒンジ支持具（１００）と、
両側に前記支持溝（１３０、１３０)に挿入支持される支持突起（２２０、２２０)を備え、且つ前記支持部（１２０、１２０)の間に上方から下方に挿入されるヒンジ支持板（２００）と、
加圧突起（３２０）を備えた垂直部（３１０）と、前記垂直部（３１０）の上端から前方に折り曲げられてドアー（３０）を支持する水平部（３４０）と、を備え、且つ前記垂直部（３１０）が前記ヒンジ支持具（１００）の垂直部（１１０）と前記ヒンジ支持板（２００）との間に挿入され、前記ドアー３０の自重により前記加圧突起３２０が前記ヒンジ支持板２００を加圧すると、前記支持突起２２０を中心に回動する前記ヒンジ支持板２００の上部により前記垂直部３１０が加圧されて固定される下部ヒンジ３００と
を含むことを特徴とする下部ヒンジ体の結合構造。
【請求項２】
前記ヒンジ支持具（１００）は、前記垂直部（１１０）から折り曲げられた水平部（１４０）をさらに含むことを特徴とする請求項１に記載の下部ヒンジ体の結合構造。
【請求項３】
前記下部ヒンジ（３００）の水平部（３４０）には、前記ドアー（３０）の内部に挿入されるように突出したヒンジピン（３５０）が形成されていることを特徴とする請求項１に記載の下部ヒンジ体の結合構造。
【請求項４】
前記下部ヒンジ（３００）の垂直部（３１０）には、前記支持部（１２０、１２０)の上面にかけられて支持される支持段（３３０、３３０)が形成されていることを特徴とする請求項１に記載の下部ヒンジ体の結合構造。
【請求項５】
前記ヒンジ支持板（２００）は、上端に後方に折り曲げられた切刻端部（２１０）を備えていることを特徴とする請求項１〜４のいずれか１項に記載の下部ヒンジ体の結合構造。
【発明の詳細な説明】
【０００１】
【発明の属する技術分野】
本発明は、冷蔵庫の下部ヒンジ体の結合構造に係るもので、詳しくは、ドアーを本体に装着及び分離するとき、別途の工具を必要とせず、且つ、ドアーの荷重に比例する強い支持力を備えた冷蔵庫の下部ヒンジ体の結合構造に関するものである。
【０００２】
【従来の技術】
一般に、冷蔵庫は、図４に示したように、食品などを収納する本体１０と、前記本体１０に揺動自在に装着され、揺動することにより冷蔵庫の内部を開閉させるドアー３０と、前記ドアー３０を前記本体１０に揺動自在に固定支持するヒンジ手段５０と、から構成される。
【０００３】
前記ヒンジ手段５０は、前記本体１０の上面前方の角に設置され、前記ドアー３０を上部から前記本体１０に揺動自在に固定支持する上部ヒンジ体５００と、前記本体１０の前面下部の角に設置され、前記ドアー３０を下部から前記本体１０に揺動自在に固定支持する下部ヒンジ体６００と、から構成される。
【０００４】
前記のように構成された従来の冷蔵庫において、前記下部ヒンジ体６００は、図５に示したとおり、前記本体１０の前面下部の角の内壁と下面前方の角の内壁に溶着され、‘Ｌ’字状に形成されたヒンジ支持具６１０と、前記ヒンジ支持具６１０の前面に固定部材により固定結合され、前記ドアーの荷重を支持する‘逆Ｌ’字状の下部ヒンジ６３０と、該下部ヒンジ６３０とヒンジ支持具６１０とを固定結合させる複数個の固定スクリュー６５０とから構成される。
【０００５】
前記ヒンジ支持具６１０の垂直部６１１の中央部には、前記固定スクリュー６５０が貫通する複数個の結合孔６１１ａが穿孔されている。
前記下部ヒンジ６３０は、その下部が下方に垂直切刻され、該垂直部６３１の中央部には、前記固定スクリュー６５０が貫通する複数個の結合孔６３１ａが形成されており、該水平部６３３の上面中央には、前記ドアー３０のヒンジ孔（図示せず）に挿入されるヒンジピン６３３ａが形成されている。
【０００６】
前記のように構成される従来の下部ヒンジ体６００の結合構造は、前記本体１０の前面下部の角の内壁と下面前方の角の内壁に溶着されているヒンジ支持具６１０の垂直部６１１の結合孔６１１ａと下部ヒンジ６３０の垂直部６３１の結合孔６３１ａに前記固定スクリュー６５０を貫通させ、前記下部ヒンジ６３０を前記ヒンジ支持具６１０に締結させるようになっている。
【０００７】
【発明が解決しようとする課題】
然るに、前記のような従来の冷蔵庫の下部ヒンジ体の結合構造は、複数個の固定スクリューを使用して下部ヒンジをヒンジ支持具に固定させるため、前記下部ヒンジを前記ヒンジ支持具に装着及び分離する場合に、前記固定スクリューを回転させることができる別途の工具を要するという不都合な点があった。
又、前記固定スクリューのネジ山に摩耗が生じてネジ山が壊れると、ドアーを正確な位置に支持しにくくなり、ドアーが垂れてしまい、電力の損失が発生するという不都合な点があった。
【０００８】
本発明は、このような従来の課題に鑑みてなされたもので、下部ヒンジをヒンジ支持具に別途の工具を必要とせずに着脱できる下部ヒンジ体の結合構造を提供することを目的とする。
且つ、本発明は、ドアーの荷重に比例してドアーを堅固に支持できる下部ヒンジ体の結合構造を提供することを目的とする。
【０００９】
【課題を解決するための手段】
このような目的を達成するため、本発明に係る冷蔵庫の下部ヒンジ体の結合構造は、本体の前面下部の角の内壁と下面前方の角の内壁に溶着され、‘Ｌ’字状に形成されたヒンジ支持具と、該ヒンジ支持具の上方から下方に挿入され、上端部が後方に水平切刻され形成されるヒンジ支持板と、前記ヒンジ支持具とヒンジ支持板の間に挿入されドアーの荷重を支持する‘逆Ｌ’字状の下部ヒンジと、から構成される。
【００１０】
【発明の実施の形態】
以下、本発明に係る冷蔵庫の下部ヒンジ体の結合構造を図面を用いて説明する。説明中、従来の構成と同一な部分に対しては、同一符号を用いる。
本発明に係る冷蔵庫の下部ヒンジ体の結合構造は、本体１０の前面下部の角の内壁と下面前方の角の内壁に溶着され、‘Ｌ’字状に形成されたヒンジ支持具１００と、該ヒンジ支持具１００の上方から下方に挿入され、上端部が後方に水平切刻され形成されるヒンジ支持板２００と、前記ヒンジ支持具１００とヒンジ支持板２００の間に挿入され、ドアー３０の荷重を支持する‘逆Ｌ’字状の下部ヒンジ３００と、から構成される。
【００１１】
前記ヒンジ支持具１００は、垂直部１１０と水平部１４０とに構成され、前記垂直部１１０の前面下部の両端部には前記下部ヒンジを支持する一対の支持部１２０が前方に突成されており、該支持部１２０の上面両端部は下方に屈曲され前記ヒンジ支持板２００が揺動自在に嵌合される断面がＣ字状の支持溝１３０が形成されている。
【００１２】
前記支持板２００は、上端部が後方に水平切刻され前記下部ヒンジ３００を前記ヒンジ支持具１００に密着させる切刻端部２１０と、前記ヒンジ支持板２００の中央部の両端部に突成され、前記ヒンジ支持具１００の支持溝１３０に揺動自在に嵌合される支持突起２２０と、を含めて構成される。
【００１３】
前記下部ヒンジ３００は、その後端部が下方に垂直切刻され、該垂直部３１０の前面の下部中央部には、前記下部ヒンジ３００が前記ヒンジ支持具１００とヒンジ支持板２００の間に挿入されたとき、前記ヒンジ支持板２００の下端部２３０を加圧し、前記ヒンジ支持板２００の切刻端部２１０が前記下部ヒンジ３００の垂直部３１０を加圧させる加圧突起３２０が前方に突成されており、該垂直部３１０の上部の両端部には、前記ヒンジ支持具１００の支持部１２０の上面にかけられるように支持段３３０が形成されている。
【００１４】
又、前記下部ヒンジ３００の水平部３４０前端部の上面中央部には前記ドアー３０のヒンジ孔（図示せず）に挿入され、前記ドアー３０を揺動自在に支持するヒンジピン３５０が上方に突成されている。
前記のように構成される本発明に係る冷蔵庫の下部ヒンジ体の結合順序及び荷重の支持原理を図面を用いて説明する。
【００１５】
まず、本発明に係る冷蔵庫の下部ヒンジ体の結合順序は、図１乃至図３に示されたとおり、本体１０の前面下部の角の内壁と下面前方の角の内壁に支持部１２０が前記本体１０の前方に突き出るように溶着されているヒンジ支持具１００の支持溝１３０にヒンジ支持板２００の支持突起２２０を上方から下方に挿入し、前記ヒンジ支持具１００に前記ヒンジ支持板２００を結合する。
【００１６】
次いで、前記ヒンジ支持具１００とヒンジ支持板２００の間に、前記下部ヒンジ３００の垂直部３１０を該垂直部３１０の上部両端部に突成されてある支持段３３０が前記ヒンジ支持具１００の支持部１２０上面にかけられるようにして、上方から下方に挿入し結合を完了する。
【００１７】
次いで、前記のように結合された本発明に係る冷蔵庫の下部ヒンジ体の荷重支持原理は、図３に示されたように、ヒンジ支持板２００の下端部２３０を前記ヒンジ支持具１００の垂直部１１０の下端部１１１に当接させ、前記ヒンジ支持具１００の支持溝１３０に挿入し、前記ヒンジ支持具１００とヒンジ支持板２００との間に下部ヒンジ３００の垂直部３１０を該垂直部３１０に形成されてある支持段３３０が前記ヒンジ支持具１００の支持部１２０上面にかけられるようにして挿入すると、前記ヒンジ支持具１００の下端部１１１と前記ヒンジ支持板２００の下端部２３０とは、相当接しているので、前記下部ヒンジ３００の垂直部３１０前面の下部に突成されている加圧突起３２０が前記ヒンジ支持板２００の下端部２３０を前方に加圧する。
【００１８】
前記のように、前記加圧突起３２０が前記ヒンジ支持板２００の下端部２３０を前方に加圧すると、前記ヒンジ支持板２００の上端部に形成された切刻端部２１０は、後方に押され、前記下部ヒンジ３００を前記ヒンジ支持具１００に密着させる。
一方、前記ヒンジ支持具１００は、本体１０の内壁に堅固に溶着されているので、前記下部ヒンジ３００によって伝達されるドアー３０の荷重を充分に支持することができる。
【００１９】
又ドアー３０の荷重が大きくなり、前記下部ヒンジ３００に伝わる下方に作用する力が大きくなればなるほど、前記下部ヒンジ３００の加圧突起３２０がヒンジ支持板２００の下端部２３０を前方に強く加圧させ、これにより、前記ヒンジ支持板２００の切刻端部２１０が、前記下部ヒンジ３００を前記ヒンジ支持具１００に強く密着させるので、前記ドアー３０の荷重に比例する強い支持力が得られる。
【００２０】
【発明の効果】
以上説明したように、本発明に係る冷蔵庫の下部ヒンジ体の結合構造は、別途の締結工具を要さないで、単に、下部ヒンジの垂直部をヒンジ支持板とヒンジ支持具との間に挿入することにより、ドアーを本体に装着及び分離できる効果がある。
【００２１】
又、本発明に係る冷蔵庫の下部ヒンジ体の結合構造は、ドアーの荷重が大きくなればなるほど、荷重に比例してヒンジ支持板が下部ヒンジをヒンジ支持具に強く密着させるので、時間が経ってもドアーが正確な位置に支持され、且つ、ドアーの垂れもなくなる効果がある。
【図面の簡単な説明】
【図１】本発明に係る下部ヒンジ体の構成を示した分解斜視図である。
【図２】本発明に係る下部ヒンジ体のヒンジ支持具とヒンジ支持板の結合状態を示した断面図である。
【図３】本発明に係る下部ヒンジ体の固定構造を示した断面図である。
【図４】冷蔵庫の全体の構成を示した斜視図である。
【図５】従来の上部ヒンジ体の構成を示した分解斜視図である。
【符号の説明】
１００…ヒンジ支持具
１１０…ヒンジ支持具の垂直部
１２０…支持部
１３０…支持溝
１４０…ヒンジ支持具の水平部
２００…ヒンジ支持板
２１０…切刻端部
２２０…支持突起
２３０…ヒンジ支持板の下端部
３００…下部ヒンジ
３１０…下部ヒンジの垂直部
３２０…加圧突起
３３０…支持段
３４０…下部ヒンジの水平部
３５０…ヒンジピン
【図１】
0004005201.tif 000002
【図２】
0004005201.tif 000003
【図３】
0004005201.tif 000004
【図４】
0004005201.tif 000005
【図５】
0004005201.tif 000006